(57)【特許請求の範囲】
【請求項１】
−  食物をジュースと果肉にすりおろすためのすりおろしディスク；
−  食物を前記すりおろしディスクに供給するための供給チューブ；
−  ジュースと果肉を分離させるための回転こし器；
−  ジュース収集器；
−  果肉収集ボリュームを囲む果肉容器；
−  上方ハウジングカバー；及び
−  ベースハウジング；を有し、
前記こし器は、上端部が底端部より小さい直径を有するように、供給方向に沿って前記上端部から前記底端部に直径が広がる円錐台形であり；
使用中、前記ジュースは前記こし器の外側に運ばれ、前記果肉は、前記こし器の下に配置される前記果肉容器に放出され；
前記ジュース収集器は、排出口に接続される円周容器を備え、前記円周容器は、前記こし器の外側に運ばれたジュースが集められるように設けられ；
前記果肉容器は、外壁を有し、前記外壁は、前記ジュース収集器を支持する単一シェルハウジング部として提供され；
前記外壁は、前記果肉収集ボリュームを半径方向に囲み；
前記外壁は、果肉容器充填状態が全ての視線方向において外側からオペレータに視覚的に点検可能であるように、少なくとも周方向に透明であり；
前記果肉容器は、果肉容器隆起部分を持つ果肉容器周方向下方部分を有し、前記果肉容器隆起部分は、前記果肉容器周方向下方部分の中断部を提供し；
前記ベースハウジングは、前記果肉容器隆起部分をその上に配置可能な前記果肉容器隆起部分に対応する形状を有するベースハウジング隆起部分及び前記果肉容器周方向下方部分をその上に配置可能な前記果肉容器周方向下方部分に対応する形状を有する周方向凹部を有する；
ジュース絞り器。
【請求項２】
前記外壁は、少なくとも周囲の約２５％に沿って周方向に透明である、
請求項１に記載のジュース絞り器。
【請求項３】
前記外壁は、全周囲に沿って周方向に透明である、
請求項１又は２に記載のジュース絞り器。
【請求項４】
前記上方ハウジングカバーは、前記ジュース収集器によって支持され；
前記外壁は、前記ベースハウジングの上に載っているとともに前記ジュース収集器を支持し；
前記外壁は、前記ベースハウジングと上部に前記上方ハウジングカバーを伴う前記ジュース収集器との間に配置される透明ハウジングリング部分として提供される；
請求項１乃至３のいずれか１項に記載のジュース絞り器。
【請求項５】
前記外壁は、透明材料から作られる、
請求項１乃至４のいずれか１項に記載のジュース絞り器。
【請求項６】
前記果肉容器全部が、透明材料で作られる、
請求項１乃至５のいずれか１項に記載のジュース絞り器。
【請求項７】
前記果肉収集ボリュームは充填高さを有し；
前記外壁は前記充填高さの少なくとも半分に渡って延びている；
請求項１乃至６のいずれか１項に記載のジュース絞り器。
【請求項８】
前記ベースハウジングは、センタリング端部を提供し、前記センタリング端部に対して前記果肉容器が半径方向に支えられ；
ｉ）  前記センタリング端部は、前記ベースハウジングのリムであり、前記果肉容器は、凹部側壁部分及び凹部上方壁部分を提供する凹部を備え；前記凹部側壁部分は、少なくとも部分的に前記リムと半径方向に当接し、前記凹部上方壁部分はリムに載る；及び／又は
ｉｉ）  前記センタリング端部は、前記果肉容器の内側半径に設けられる；
請求項１乃至７のいずれか１項に記載のジュース絞り器。
【請求項９】
前記果肉容器は、前記すりおろしディスクを回転させるための及び前記こし器を回転させるための駆動ユニットを囲む、
請求項１乃至８のいずれか１項に記載のジュース絞り器。
【請求項１０】
前記ベースハウジングは、内側ハウジング及び外側ハウジングを有し、前記内側ハウジングは、前記すりおろしディスクを回転させるための及び前記こし器を回転させるための駆動ユニットを上から囲み、前記外側ハウジングは、下から前記駆動ユニットを囲むとともに前記ジュース絞り器の支持スタンドとして働く、
請求項１乃至９のいずれか１項に記載のジュース絞り器。
【請求項１１】
前記内側ハウジング及び前記外側ハウジングは重なり、前記センタリング端部を形成する、
請求項８に従属する請求項１０に記載のジュース絞り器。
【請求項１２】
前記ジュース収集器は、前記果肉容器の上端に接触する第１のシーリング及び前記上方ハウジングカバーの下端に接触する第２のシーリングを備え；
前記第１及び前記第２のシーリングは、射出ゴムシーリングとして提供される；
請求項１乃至１１のいずれか１項に記載のジュース絞り器。
【発明の詳細な説明】
【技術分野】
【０００１】
本発明はジュース絞り器に関する。
【背景技術】
【０００２】
ジュース絞り器は、例えば野菜又は果物から、ジュースを提供するために使用される。野菜又は果物は、例えば、すりおろしディスク等、破砕装置又はすりおろし装置に供給される。破砕又はすりおろしディスクの回転によりジュース及び果肉に遠心力を働かせることによって、ジュース及び果肉は、ディスクを囲むこし器に供給される。ジュースが果肉からろ過されるように、こし器も同様に回転している。ジュースはその後、それぞれの容器に集められるとともに供給される。さらに、果肉は、別個の容器に集められる。例えば、特許文献１は、円錐台こし器を有する遠心タイプのジュース絞り機を開示する。例えば、ジュースは、例えば、コップ又はマグカップにジュースを放出するために蛇口に供給される。果肉は、こし器の下の容器に供給される。特許文献２は、すりおろしディスク及び回転可能に配置されているこし器及び果肉偏向器の下の円周果肉受けボウルを有する他の遠心タイプのジュース絞り器を記載する。さらに、果肉受けボウル及びこし器の周りに、抽出されたジュースを収集するためのジュースボウルが設けられ、これは注ぎ口様出口を備えて構成される。果肉受けボウル、並びにジュースボウル、こし器及び果肉偏向器は、カバーで閉じられるケースの内側に設けられる。さらに、果肉受けボウルは、支持アームとしてケースの外周の周りに設けられるハンガーによって支持される。ジュースボウルもこれらのハンガーに支えられており、果肉受けボウルのリップ状端部と重なるリップ状端部の重なりを備える。しかし、一体化された果肉収集器又は果肉容器の場合、それぞれの容器は、適切な機能を保証するために手動で空にされなければならない。これは、ジュース絞り機を操作するときの追加的なステップを意味することを示している。
【先行技術文献】
【特許文献】
【０００３】
【特許文献１】ＥＰ  ２  ３６８  ４６５  Ａ１
【特許文献２】ＵＳ  ２  ２８０  ２１４  Ａ１
【発明の概要】
【発明が解決しようとする課題】
【０００４】
したがって、改良された果肉の取り扱いを持つジュース絞り器を提供する必要があり得る。
【課題を解決するための手段】
【０００５】
本発明の目的は、独立請求項の主題によって解決され、さらなる実施形態は従属請求項に組み込まれる。
【０００６】
本発明の第１の態様によれば、ジュース絞り器が提供され、食物をジュースと果肉にすりおろすためのすりおろしディスク、食物をすりおろしディスクに供給するための供給チューブ、ジュースと果肉を分離させるための回転こし器、ジュース収集器、果肉収集ボリュームを囲む果肉容器、上方ハウジングカバー、及びベースハウジングを有する。こし器は、上端部が底端部より小さい直径を有するように、供給方向に沿って上端部から底端部に直径が広がる円錐台形である。使用中、ジュースはこし器の外側に運ばれ、果肉は、こし器の下に配置される果肉容器に放出される。ジュース収集器は、排出口に接続される円周容器を備え、円周容器は、こし器の外側に運ばれたジュースが集められるように設けられる。果肉容器は、外壁を有し、この外壁は、ジュース収集器を支持する単一シェルハウジング部として提供される。外壁は、果肉収集ボリューム（体積）を半径方向に囲む。
【０００７】
果肉容器は、例えば、清掃及び空にする目的のために、取り外し可能であるように設けられ得る。
【０００８】
他の例では、上方ハウジングカバーは、ジュース収集器によって支持される。
【０００９】
さらなる例では、単一シェルハウジング部分は、ベースハウジングの上に載っている。
【００１０】
例によれば、外壁は、果肉容器充填状態が全ての視線方向において外側からオペレータに視覚的に点検可能であるように、少なくとも周方向に透明である。
【００１１】
用語「全ての視線方向の外側から」は、例えば、テーブルの上に配置されるとともにユーザが手動でジュース絞り機構を作動させるような、ジュース絞り器の通常の使用に関連する。例えば、視線方向は、全ての水平方向からの、並びに高い側方位置からの、すなわち、ジュース絞り器をわずかに斜め下方に見る、ジュース絞り器に向かう視線に関連する。
【００１２】
例えば、果肉容器充填状態は、ジュース絞り器の通常の動作状態に関連する全ての水平視線方向において外側からオペレータにとって視覚的に点検可能である。
【００１３】
用語「充填状態」は、果肉容器の空の状態並びに完全に充満した状態に関連し、この完全に充満した状態はその後果肉容器を手動で空にすることを必要とする。
【００１４】
用語「透明」は、果肉容器内の果肉充填高さの視覚的な点検を可能にする、透明な材料に関連する。「透明材料」は、例えば、位置の直接の線は可能ではないが、果肉充填高さの視覚的な印象がそれでもユーザに提供される、半透明効果を提供する、配光効果を有し得る。
【００１５】
用語「ボリューム（体積）を囲む」は、壁、すなわち外壁が、果肉収集ボリュームと直接接触しており、果肉がボリュームの内部にある場合、外壁は果肉と直接接触していることを意味する。
【００１６】
上方ハウジングカバーは、蓋とも称される。
【００１７】
すりおろしディスクは、作られた果肉及びジュースが、こし器の効率的な使用のためにそれぞれの上方端部でこし器に衝突するように、こし器の上端部の下に設けられる。
【００１８】
視覚的な点検を可能にする外壁を設けることによって、ユーザは、ジュース絞り器の動作中、充填状態を容易に監視することができる。したがって、充填状態が効率的に最大限まで上げられるまで、さらなる果肉を生産又は作るたびに、いくつかのジュース部分を準備することができる。充填状態を容易に点検する可能性なしでは、ユーザは、ジュースボリュームが作られるたびに果肉容器を手動で空にしなければならない、又は果肉容器の充填状態を点検するためにジュース絞り器を開かなければならないであろう。外壁をジュース絞り器を操作している間にユーザが位置することができる全ての可能な位置からユーザが充填状態を注視することができる方法で透明に提供することによって、一体化された果肉容器が最大の効率で使用されることができる。
【００１９】
例によれば、外壁は、少なくとも周囲の約２５％に沿って周方向に透明である。例えば、透明部分及び不透明部分の交互のパターンが設けられる。１つの例では、外壁は、少なくとも周囲の約５０％、例えば、約７５％に沿って周方向に透明である。
【００２０】
例によれば、外壁は、全周囲に沿って周方向に透明である。これは、充填状態の連続監視を可能にする。例えば、果肉容器の周方向の延長部に沿った充填状態の違いがユーザによって見つけられることができる。
【００２１】
例によれば、上方ハウジングカバーは、ジュース収集器によって支持され、外壁はベースハウジングの上に載っているとともにジュース収集器を支持している。外壁は、ベースハウジングと上部の上方ハウジングを伴うジュース収集器との間に配置される透明ハウジングリング部分として提供される。
【００２２】
上方ハウジングカバーは、少なくともジュース収集器充填状態が全ての視線方向において外側から視覚的に点検可能でもあるように透明であり得る。例えば、上方ハウジングカバーは、少なくともその表面の５０％に沿って透明である。さらなる例では、上方ハウジングカバーは完全に透明である。
【００２３】
さらなる例によれば、外壁は、透明材料から作られる。例えば、複数の部分が、透明点検部分として設けられ、他の部分は、例えば、半透明の点検のみを可能にする、又は幾つかの部分をカバーしさえする、パターン又は他のタイプのコーティングを備える。しかし、透明部分及び非透明部分の配置は、完全な果肉容器が充填状態に関して視覚的に点検されることができるように配置される。
【００２４】
さらなる例によれば、果肉容器全部が、透明材料で作られる。これは、果肉容器が、単一のステップで、例えば、成型加工で製造されることができるという利点を提供する。
【００２５】
例によれば、果肉収集ボリュームは充填高さを有し、外壁は充填高さの少なくとも半分に渡って延びている。例えば、外壁は、充填高さの少なくとも３分の２に渡って延びている。さらなる例では、外壁は、全充填高さに渡って延びている。
【００２６】
単一シェルハウジングは、例では下方ハウジング部分を形成するベースハウジングと上方ハウジング部品との間のハウジング壁として設けられる中間ハウジングである。ジュース収集器、例えば、ジュース収集器リングは、上方ハウジング部分を形成する上方ハウジングカバーが続く更なる中間ハウジングを提供し得る。
【００２７】
例によれば、ベースハウジングは、センタリング端部を提供し、このセンタリング端部に対して果肉容器が半径方向に支えられる。センタリング端部は、果肉容器の下方内側端部、又は外側下方端部に対してもたれるように設けられ得る。例えば、センタリング端部は、半径方向のセンタリングを提供する。回転センタリングのために、突出部又は凹部が、果肉容器に設けられ得るとともに、凹部又は突出部がベースハウジングに設けられ得る。
【００２８】
例によれば、センタリング端部は、ベースハウジングのリムであり、果肉容器は、凹部側壁部分及び凹部上方壁部分を提供する凹部を備え、凹部側壁部分は、少なくとも部分的にリムと半径方向に当接し、凹部上方壁部分はリムに載る（支えられる）。
【００２９】
他の例によれば、センタリング端部は、果肉容器の内側半径に設けられる。
【００３０】
例によれば、果肉容器は、すりおろしディスクを回転させるための及びこし器を回転させるための駆動ユニットを囲む。
【００３１】
例によれば、果肉容器は、円周下方部分の中断部を提供する隆起部分を持つ円周下方部分を有する。隆起部分は、円周下方部分の半径方向の延長に渡って延びる。
【００３２】
例えば、隆起部分は、例えば、ジュース絞り器が取付けられた果肉容器、取り付けられたジュース収集器、及び閉じられた上方ハウジングカバーを伴う場合のみ動作するための安全機構の場所のために、ベースユニットのための構造上のスペースを提供する。安全機構と一体化される必要はない駆動ユニットの周りのスペースは、したがって、果肉容器又は果肉受けボリュームのために使用されることができる。
【００３３】
例によれば、ベースハウジングは、内側ハウジング及び外側ハウジングを有し、内側ハウジングは、すりおろしディスクを回転させるための及びこし器を回転させるための駆動ユニットを上から囲み、外側ハウジングは、下から駆動ユニットを囲むとともにジュース絞り器の支持スタンドとして働く。
【００３４】
例えば、外側ハウジングは、側面から駆動ユニットを囲んでいる。さらなる例では、内側ハウジングは、側面から駆動ユニットを囲んで提供され、外側ハウジングは、底部で内側ハウジングに接続される下方ハウジングである。
【００３５】
例によれば、内側ハウジング及び外側ハウジングは重なり、センタリング端部を形成する。
【００３６】
例によれば、ジュース収集器は、果肉容器の上端に接触する第１のシーリング及び上方ハウジングカバーの下端に接触する第２のシーリングを備え、第１及び第２のシーリングは、射出ゴムシーリングとして提供される。これは、シーリングが一体化され、したがって忘れられることができないので、容易な取扱いを提供するとともに装置を作動させるとき、適切なシーリングを保証する。
【００３７】
ある態様によれば、上下逆のこし器技術を備えるジュース絞り器が提供され、果肉は１つの場所、すなわち果肉容器に集められ、この果肉容器は、動力ユニットと一体化される。大きい装置を避けるために、果肉容器は、リング形回転こし器に従う方法で外周に設けられる。さらに、利用可能なスペースを最も効率的に使用するために、したがってできる限り体積を減らすために、果肉容器は、ジュース絞り器の構造部品であるとともに内部が外側から大部分が可視であるように提供される。したがって、ユーザは、少なくとも一時的に果肉を貯蔵するために果肉コンテナの貯蔵スペースの最大の使用のためにボリュームの内側の果肉レベルを監視又は制御することができる。果肉容器の透明外壁を提供することによって、ユーザは、果肉容器の充填状態の状況を評価するための直接観察を有する。果肉容器はしたがって、２つの機能、すなわち、一時的に果肉を収容するための受け入れ又は貯蔵機能、及び構造的な、すなわち荷重支持部分として働く支持機能を備える。公差のチェーンが増加する、すなわち長くなり、そのために製造公差に関する高められた要件が目の前にあっても、二重に機能する取り外し可能な果肉容器の提供は、製造工程の間の経済的な利益を意味し、ほとんど全ての視線方向からのユーザのための視覚的な点検の能力は、ユーザの安楽を追加し、したがって、増加した機能性を提供する。
【００３８】
本発明のこれらの及び他の態様は、以下に記載される実施形態を参照して明らかになるであろうとともに以下に記載される実施形態を参照して説明されるであろう。
【図面の簡単な説明】
【００３９】
本発明の例示的な実施形態が以下の図面を参照して以下に記載される。
【図１】ジュース絞り器の斜視図を示す。
【図２】図１のジュース絞り器の中心部分を通る垂直断面を示す。
【図３】図２の図の詳細部分を示す。
【図４】内側センタリング端部を示す詳細断面で更なる例を示す。
【図５】図１のジュース絞り器のベース部分の斜視図を示す。
【図６】果肉容器の例の斜視図を示す。
【図７】図６の果肉容器を下からの斜視図で示す。
【図８】例示のジュース収集器の斜視図を示す。
【図９】図８のジュース収集器の詳細を示す。
【図１０】図１のジュース絞り器の写真の図を示す。
【発明を実施するための形態】
【００４０】
図１は、ジュース絞り器１０を示し、ベース部分１２、中間部分１４、及び上方部分１６を有する。ベース部分１２は、ジュース絞り器１０のためのスタンド又は支持部として働く。中間部分１４は、図２に関連してより詳細に記載される機能要素を有する。上方部分１６は、更なる機能要素及びリッド又はカバーを有し、これもまた図２を参照してより詳細に記載される。異なる目的のために、すなわち清掃目的及び排出又は空にする目的のために、上方部分は、中間部分から取り外されることができ、中間部分もまた、ベース部分１２から取り外されることができる。
【００４１】
さらに、２つの上方に向けられた支持バー１８が中間部分１４に載る、上方部分１６の増大する取り付け安定性のために提供され、中間部分１４はベース部分１４によりかかっている。支持バー１８は、上方ハウジングカバーを装置にロックするためにクランプとして設けられる。さらに、操作ノブ１９が概略的に示されている。制御ノブ１９はまた、ベースハウジング５２の接触感知一体化領域として設けられ得る。ジュース絞り器１０を操作するためのインタフェースもまた、他の部分に、例えば支持バー１８に設けられ得る。
【００４２】
図２はジュース抽出のための異なる構成要素を示す断面図を示す。供給チューブ２０がすりおろしディスク２２に食料を供給するために設けられる。例えば、供給チューブ２０は、すりおろされることになる食料を挿入するために、上方開口（図２に示されていない）を有する。すりおろしディスクは、食料をジュース及び果肉にすりおろすために、供給チューブの下端部又は底端部に配置される。これは、すりおろしディスク２２を回転させることによって提供され、このすりおろしディスクは食料をすりおろすための複数の突出部２４を備える。高速回転の際、果肉及びジュースは、すりおろしディスク２２を半径、すなわち水平方向に離れ、ジュースと果肉を分離するために設けられる回転こし器２６に衝突する。回転こし器２６及びすりおろしディスク２２は、モータ駆動ユニット２８によって回転するが、さらに詳細には記載されない。すりおろしディスク及び回転こし器は、ジュースが果肉から濾過されるように、必ずしもそうとは限らないが、同じ又は同様の方向に、及び必ずしもそうとは限らないが、同様の又は同じ速度で回転し得る。すりおろしディスク２２及び回転こし器２６はまた、正反対の回転方向を有し得る。回転こし器２６は円錐台形であり、上端部３０が底端部３２より小さい直径を有するように、供給方向に沿って上端部３０から底端部３２に直径が広がる。供給方向は、例えば、垂直に、下方に向かう方向に、配置される。例えば、すりおろしディスク２２は、こし器２６の上端３０の下に設けられる。したがって、ジュース及び果肉は、矢印３４で示されるように、回転こし器２６の上方部分で回転こし器２６に供給される。使用中、ジュースは、こし器２６の外側に運ばれ、果肉は、こし器２６の下の領域に排出される。幾つかの水平矢印３６は、ジュースの流れ経路を示し、幾つかの垂直矢印３８は果肉の経路を示す。
【００４３】
さらに、ジュース収集器４０、並びに果肉収集ボリューム４４を囲む果肉容器４２が設けられる。果肉容器４２は、すりおろしディスク２２を回転させるために及びこし器２６を回転させるために、駆動ユニット２８を囲む。例として、ジュース収集器４０は、ジュースを、例えば、グラス又はマグカップ（図示せず）に放出するための蛇口４６を備える。蛇口４６は、ジュース収集器４０の円周容器４８に接続される。円周容器４８は、こし器２６の外側に運ばれるジュースが収集されるように設けられる。円周容器４８は、例えば、上述の蛇口４６の形態の、排出ポートに接続される。果肉容器４２は、固定され得る（さらに図示されない）又は、図に示されるように、取り外し可能であり得る。
【００４４】
さらに、上方ハウジング５０、並びに下方又はベースハウジング５２が、設けられる。
【００４５】
上方ハウジング５０は、ジュース収集器４０によって支持され得る。ジュース収集器４０は、果肉容器４２によって支持され得る。
【００４６】
果肉容器４２は、外壁５４を有し、この外壁は、ジュース収集器４０を支持する、単一シェルハウジング部分５６として設けられる。外壁５４は、外側から周囲を囲む方法で半径方向に果肉収集ボリューム４４を囲む。
【００４７】
図示された例では、外壁５４は、少なくとも、波状の線５８で示される果肉容器充填状態が、全ての視線方向において、例えば、ジュース絞り器の通常の動作状態に関連する全ての水平視線方向において、外側からオペレータに視覚的に点検可能であるように、円周方向に透明である。
【００４８】
単一シェルハウジング部分５６は、ベースハウジング５２の上に載り得る。
【００４９】
図示されない、さらなる例では、ジュース収集器４０は、果肉容器４２と一体に形成される。果肉容器４２は、上方ハウジングカバー５０を支持している。例えば、ジュース収集器４０は、果肉容器４２に囲まれて立って設けられ得る。
【００５０】
図示されない、さらなる例では、ジュース収集器４０は、内側ハウジング、例えばベースハウジング５２の上に載り、果肉容器４２は、ベースハウジング５２を囲む。１つの例では、ベースハウジング５２は、果肉容器４２によって少なくとも部分的に囲まれる。例えば、ベースハウジング５２は、果肉容器４２の上に載り、この果肉容器４２もまた支持スタンドとして働き得る。ジュース収集器４０は、例えば、果肉容器４２の上に載る、別個の部品として、又は果肉容器４２と一体にされた部品として設けられる、又はベースハウジング５２の上に載り得る。
【００５１】
図３は、外壁５４の形態の単一シェルハウジング部分５６を有する、果肉容器４２の詳細拡大断面を示す。１つの例では、外壁は、少なくとも、周囲の約２５％、例えば、約５０％又は約７５％に沿って、円周方向に透明である。図３、並びに図１及び２の例では、外壁５４は、全周に沿って円周方向に透明である。この特徴は図２、並びに図１及び図３にも示されているが、果肉容器充填状態５８がほぼ全ての視線方向から目で見える限り、透明度のグレード又は量が変化し得ることが留意されなければならない。
【００５２】
図１に示されるように、１つの例では、外壁５４は、ベースハウジング５２と上部に上方ハウジング５０を持つジュース収集器４０との間に配置される、透明ハウジングリング部分６０として設けられる。例えば、外壁５４は、透明材料６２から作られる。図３に示されるように、全部の果肉容器４２が、透明材料６２から作られることができる。
【００５３】
破線６４は、果肉収集ボリューム４４の充填高さを示す。外壁５４は、充填高さ６４の少なくとも半分を超えて延びる。充填高さ６４はまた、両矢印Ｈで示される。
【００５４】
１つの例では、図３に示されるように、ベースハウジング５２は、それに対して果肉容器４２が半径方向に支えられるセンタリング端部６６を提供する。センタリング端部６６は、半径方向のセンタリング（中心位置調整）を提供する。回転センタリングに関して、突出部又は凹部が果肉容器に設けられ、凹部又は突出部がベースハウジングに設けられる。センタリング端部６６は、ベースハウジング５２のリム６８として設けられ得るとともに、果肉容器４２は、凹部側壁部分７２及び凹部上壁部分７４を備える凹部７０を備える。凹部側壁部分７２は、半径方向にリム６８と少なくとも部分的に当接し、凹部上壁部分は、リム６８の上に載る。
【００５５】
例えば、ベースハウジング５２は、内側ハウジング７６及び外側ハウジング７８を有する。内側ハウジングは、すりおろしディスク２２を回転させるための及びこし器２６を回転させるための駆動ユニット２８を囲み、囲むことは上から生じる。外側ハウジング７８は、下から囲むとともに、ジュース絞り器１０の支持スタンドとして働く。外側ハウジングは、図３に示されるように、横から駆動ユニット２８を囲み得る。図３に示されるように、内側ハウジング７６及び外側ハウジング７８は重なり、重なり部分８０を提供し、センタリング端部６６を形成する。
【００５６】
用語「内側」は、取り付けられた果肉容器、ジュース収集器及び上方ハウジングを持つ、ジュース絞り器の取り付けられた状態で提供されるハウジング機能に関連する。「内側」ハウジングは、さらなる、すなわち、取付けられた部品に対する囲いを提供する。用語「外側」は、構成要素と外部又は環境との間に提供されるハウジング機能に関する。
【００５７】
さらなる例では、内側ハウジング７６が設けられ、駆動ユニット２８をやはり横から囲み、外側ハウジング７８は、底部（さらに示されていない）で内側ハウジング７６に接続される下方ハウジングである。
【００５８】
図４はさらなる例を示し、果肉容器４２は、内側凹部８２を備え、内側ハウジング７６は果肉容器４２の内側変形８４にセンタリング端部６６’を備える。図４に示されるように、透明外壁５４は、果肉容器４２の全部の高さに渡って設けられる。センタリング機能が、例えば、果肉容器４２の凹部８２の内壁に当接する内側ハウジングの突出部によって、提供されるので、２つの構成部品が互いに交わる、透明果肉容器４２から、例えば、不透明なベースハウジング５４への移行部が設けられることができる。
【００５９】
図５は、中間又は中央部分１４、並びに上方部分１６が一時的に取り除かれた又は取り外された、ベース部分１２の斜視図を示す。ベース部分１２は、ベースハウジング５２とともに示され、果肉容器４２の下方部分を受けるための周方向凹部８２を提供する。さらに、すりおろしディスク（さらに図示されない）を受けるための駆動ユニット２８の上方部分８４が、図５に示される。
【００６０】
図６は、図５のベース部分１２に置かれることになる果肉容器４２を示す。果肉容器４２は、周方向下方部分８６の中断部を提供する、隆起部分８８を持つ周方向下方部分８６を有する。隆起部分８８は、周方向下方部分の半径方向延長部に渡って延びる。したがって、下方部分８６は、隆起部分８８で中断される。
【００６１】
図５に戻って参照すると、隆起部分８８が設けられ、ベース部分５２は、例えば、安全機構を配置するとともに一体化するために、隆起部分９０を備えるので、果肉容器４２がベースハウジング５２に取り付けられることなしでの、及びジュース収集器４０が果肉容器４２に取り付けられることなしでの、及び上方ハウジングカバー５０がジュース収集器４０に取り付けられることなしでの、すりおろしディスク２２の動作を避ける。
【００６２】
図７は、図６の果肉容器４２を下からの斜視図で示す。見ることができるように、周方向下方部分８６は、隆起部分８８の場所にギャップ９４を有する、下方延長部９２によって提供される。さらに、第１のギア機構９６が、上述の安全機能の構成要素として示される。
【００６３】
図６及び図７は、説明目的のために不透明な方法で果肉容器４２を示し、本発明は、円周方向の延長に沿って大部分透明な外壁５４を設けることによって外側から視覚的な検査性を提供していることが留意されなければならない。
【００６４】
図８は、蛇口又は排出ポート４６を持つジュース収集器４０の斜視図を示す。さらに、第２のギア機構９８が、上述の安全機構のために示されている。ジュース収集器４０は、果肉容器４２との接続のための下方端部１００、及び上方ハウジングカバー５０との接続のための上方端部１０２を有する。図８に示されるように、１つの例によれば、ジュース収集器４０は、果肉容器４２の上方端部１０６（図６も参照）と接触するための第１のシーリング１０４、及び上方ハウジングカバー５０の下方端部１１０（図２も参照）と接触するための第２のシーリング１０８を備える。
【００６５】
図８の詳細部分を下からの斜視図で示す、図９にさらに見ることができるように、第１及び第２のシーリング１０４、１０８は、射出ゴムシーリングとして提供される。
【００６６】
図１０は、図１のジュース絞り器１０を写真の図で示す。図１と同じ参照番号が図１０で使用される。
【００６７】
ジュース絞り器１０が、例に示されるように、円形断面、すなわち、実質的に円筒形状を備え得ることがさらに留意されなければならない。しかし、さらなる例では、異なる外側形状も、例えば、四角形ハウジング、又は丸みを帯びた端部を持つ四角形、提供される。しかし、回転こし器２６及び回転すりおろしディスク２２のような、回転構成要素のために、円形構造が少なくとも中心に、すなわち機能部品のために、存在することが留意される。上方ハウジング５０、すなわち蓋は、透明であり得る又は不透明でもあり得ることがさらに留意されなければならない。透明蓋は、ジュース収集器４０の視覚的な点検も可能にする。果肉収集器、又は果肉容器４２の視覚的な点検に加えて、蓋は、球面形状であり得る、又は箱形状若しくは円錐台の形態を有し得る。
【００６８】
さらなる例では、ジュース収集器４０も透明又は半透明材料で提供される。さらに、供給チューブ２０も透明又は半透明材料で提供される例が提供される。さらなる例では、ベースハウジング５２は、半透明材料で提供される。
【００６９】
本発明の実施形態はさまざまな図面を参照して記載されていることが留意されなければならない。幾つかの例は１つの図に一緒に示されているが、これは、それらが必ず１つの実施形態に組み合わされなければならないことを意味しない。それぞれの特徴もまた別に提供される。当業者は、上述及び請求項から、別段の通知がない限り、１つの実施形態に属する特徴の任意の組み合わせに加えて、異なる請求項に関連する特徴と例との間の任意の組み合わせも本出願に開示されているとみなされると推測するであろう。しかし、全ての特徴は、組み合わされることができ、特徴の単純な総和を超える相乗効果を提供する。
【００７０】
本発明は、図面及び前述の説明において詳細に図示されるとともに説明されているが、このような図示及び説明は、説明的又は例示であって、限定的ではないと見なされるべきである。本発明は、開示された実施形態に限定されるものではない。開示された実施形態の他の変形形態が、図面、開示、及び従属請求項の検討から、請求項に記載された発明を実施する際、当業者によって理解されるとともに生み出されることができる。
【００７１】
請求項において、「有する」という語は他の要素又はステップを除外せず、不定冠詞“ａ”又は“ａｎ”は複数を除外しない。単一プロセッサ又は他のユニットは請求項に列挙される複数の項目の機能を満たし得る。特定の手段が相互に異なる従属請求項に列挙されるという単なる事実は、これら手段の組み合わせが有利に使用されることができないことを示さない。請求項における任意の参照符号は範囲を限定するものと解釈されてはならない。
【図１】
0005997378.tif 000002
【図２】
0005997378.tif 000003
【図３】
0005997378.tif 000004
【図４】
0005997378.tif 000005
【図５】
0005997378.tif 000006
【図６】
0005997378.tif 000007
【図７】
0005997378.tif 000008
【図８】
0005997378.tif 000009
【図９】
0005997378.tif 000010
【図１０】
0005997378.tif 000011